【手続補正書】
【提出日】平成15年7月17日(2003.7.17)
【手続補正１】
【補正対象書類名】明細書
【補正対象項目名】発明の名称
【補正方法】変更
【補正の内容】
【発明の名称】情報記録媒体、情報記録装置及び方法、情報処理装置及び方法並びに情報再生装置及び方法
【手続補正２】
【補正対象書類名】明細書
【補正対象項目名】特許請求の範囲
【補正方法】変更
【補正の内容】
【特許請求の範囲】
【請求項１】
階層構造を構成する複数の記録情報片を作成する第１の情報片作成手段と、
前記階層構造を構成する複数の階層のうちの一の階層を示す階層情報片、及び、前記記録情報片に関連する情報の種類を示す種類情報片を作成する第２の情報片作成手段と、
前記種類情報片が示す情報の種類に関連する情報を記述する記録情報関連テキストを作成するテキスト作成手段と、
前記記録情報関連テキストの位置を示すテキスト配置情報片を作成する第３の情報片作成手段と、
前記階層情報片、前記種類情報片、前記テキスト配置情報片及び記録情報関連テキストを前記階層構造に従って配置すると共に、前記テキスト配置情報片を前記種類情報片と対にして配置する配置手段と、
前記配置された複数の記録情報片、階層情報片、種類情報片、テキスト配置情報片及び記録情報関連テキストを情報記録媒体に記録する記録手段と、
を備えたことを特徴とする情報記録装置。
【請求項２】
前記テキスト作成手段は、前記階層情報片が示す階層に関連する情報を記述する階層関連テキストを更に作成し、
前記配置手段は、前記記録情報関連テキスト及び前記階層関連テキストを混在させて連続的に配置することを特徴とする請求項１に記載の情報記録装置。
【請求項３】
前記第３の情報片作成手段は、前記階層関連テキストの位置を示す階層関連テキスト配置情報片を更に作成し、
前記配置手段は、前記階層関連テキスト配置情報片を前記階層情報片と対にして配置することを特徴とする請求項２に記載の情報記録装置。
【請求項４】
前記複数の階層のうち、予め決められた特定の階層を示す前記階層情報片の前記情報記録媒体上の記録位置を示す複数の特定階層情報片を作成する第４の情報片作成手段を更に備えたことを特徴とする請求項１乃至３のいずれか一に記載の情報記録装置。
【請求項５】
前記複数の階層のうち、最上位の階層を示す前記階層情報片の前記情報記録媒体上の記録位置を示す最上位階層情報片を作成する第５の情報片作成手段を更に備えたことを特徴とする請求項１乃至４のいずれか一に記載の情報記録装置。
【請求項６】
前記種類情報片のうち特定の当該種類情報片について、前記記録情報関連テキストと、当該記録情報関連テキストに対応する前記記録情報片の階層構造における論理的位置との関係を示した対照情報片を作成する第６の情報片作成手段を更に備えることを特徴とする請求項１乃至５のいずれか一に記載の情報記録装置。
【請求項７】
前記階層情報片は、前記複数の階層のうち、使用者が任意に指定することができる前記記録情報片の単位を含む階層のみを示すことを特徴とする請求項１乃至６のいずれか一に記載の情報記録装置。
【請求項８】
前記配置手段は、前記特定の階層よりも下位の階層において、自己の一階層上位の階層から分岐しており且つ自己と同一階層に他の記録情報片が存在し、且つ、自己又は前記他の記録情報片若しくは自己又は前記他の記録情報片より下位に存在するいずれかの階層にテキストを有する記録情報片については、対応する階層情報片を配置することを特徴とする請求項４に記載の情報記録装置。
【請求項９】
前記記録情報関連テキストは、当該記録情報関連テキストが記述する関連情報の細分類を示す分類記号部分と前記関連情報を示す文字部分とを含むことを特徴とする請求項１乃至８のいずれか一に記載の情報記録装置。
【請求項１０】
前記情報記録媒体は、マスタディスクであり、
前記マスタディスクを用いてレプリカディスクを製造する手段を更に備えることを特徴とする請求項１乃至９のいずれか一に記載の情報記録装置。
【請求項１１】
請求項１０に記載の情報記録装置により製造されたレプリカディスク。
【請求項１２】
階層構造を構成する複数の記録情報片と、
前記階層構造を構成する複数の階層のうちの一の階層を示す階層情報片、及び前記記録情報片に関連する情報の種類を示す種類情報片と、
前記種類情報片が示す情報の種類に関連する情報を記述する記録情報関連テキストと、
前記記録情報関連テキストの位置を示すテキスト配置情報片と、が記録された情報記録媒体から情報を再生する情報再生装置であって、
前記情報記録媒体に記録されている情報に対応する検出信号を生成する生成手段と、
前記検出信号を復調し、復調信号を生成する復調手段と、
前記復調信号から前記記録情報関連テキストを検出する検出手段と、
前記検出された記録情報関連テキストに対応する表示信号を生成する表示信号生成手段と、
を備えたことを特徴とする情報再生装置。
【請求項１３】
前記情報記録媒体には、前記階層情報片が示す階層に関連する情報を記述する階層関連テキストが、前記記録情報関連テキストと混在しつつ連続的に記録されていることを特徴とする請求項１２に記載の情報再生装置。
【請求項１４】
検索の対象となる記録情報片に対応する関連情報の種類、及び当該検索の対象となる前記記録情報片に関連する検索対象テキストを指定する指定手段と、
指定された関連情報の種類に対応する前記種類情報片を検索する検索手段と、
前記検索手段により発見された前記種類情報片と組になっている前記テキスト配置情報片を用いて、前記発見された種類情報片を有する前記記録情報関連テキストのうちから、前記検索対象テキストを含む当該記録情報関連テキストを選択する選択手段と、を更に備え、
前記表示信号生成手段は、前記選択手段により選択された前記記録情報関連テキストに対応する前記表示信号を生成することを特徴とする請求項１２又は１３に記載の情報再生装置。
【請求項１５】
対応する前記階層情報片及び関連する他の前記階層情報片を参照して、前記選択された記録情報関連テキストに対応する前記記録情報片の前記階層構造における論理的位置及び当該記録情報片に関する情報を取得する取得手段と、
前記取得手段により取得された前記論理的位置に基づいて、前記選択された記録情報関連テキストに対応する前記記録情報片の中から指定された前記記録情報片を再生する再生手段と、
を更に備えることを特徴とする請求項１４に記載の情報再生装置。
【請求項１６】
前記情報記録媒体には、前記種類情報片のうち特定の当該種類情報片について、前記記録情報関連テキストと当該記録情報関連テキストに対応する前記記録情報片の階層構造における論理的位置との関係を示した対照情報片が更に記録されており、
検索の対象となる前記記録情報片、及び前記検索の対象となる前記記録情報片に対応する前記関連情報の種類を指定する指定手段と、
前記対照情報片を参照し、前記指定された関連情報の種類に対応する前記種類情報片を有する前記記録情報関連テキストと当該記録情報関連テキストに対応する前記記録情報片の前記階層構造における論理的位置とを検索する検索手段と、
検索された前記論理的位置に基づいて、前記指定手段により指定された前記記録情報片を再生する再生手段と、
を更に備えることを特徴とする請求項１２又は１３に記載の情報再生装置。
【請求項１７】
前記記録情報関連テキストは、当該記録情報関連テキストが記述する前記関連情報の細分類を示す分類記号部分と前記関連情報を示す文字部分とを含み、
検索の対象となる前記記録情報片、及び前記検索の対象となる前記記録情報片に関連する情報の細分類を指定する指定手段と、
前記指定された細分類に対応する分類記号を含む前記記録情報関連テキストを検索する検索手段と、
対応する前記階層情報片及び関連する他の前記階層情報片を参照して、検索された前記記録情報関連テキストに対応する前記記録情報片の前記階層構造における論理的位置及び当該記録情報片に関する情報を取得する取得手段と、
前記取得手段により取得された前記論理的位置に基づいて、前記指定手段により指定された前記記録情報片を再生する再生手段と、
を更に備えることを特徴とする請求項１２又は１３に記載の情報再生装置。
【請求項１８】
階層構造を構成する複数の記録情報片を作成する第１の情報片作成手段と、
前記階層構造を構成する複数の階層のうちの一の階層を示す階層情報片、及び、前記記録情報片に関連する情報の種類を示す種類情報片を作成する第２の情報片作成手段と、
前記種類情報片が示す情報の種類に関連する情報を記述する記録情報関連テキストを作成するテキスト作成手段と、
前記記録情報関連テキストの位置を示すテキスト配置情報片を作成する第３の情報片作成手段と、
前記階層情報片、前記種類情報片、前記テキスト配置情報片及び記録情報関連テキストを前記階層構造に従って配置すると共に、前記テキスト配置情報片を前記種類情報片と対にして配置する配置手段と、
を備えたことを特徴とする情報処理装置。
【請求項１９】
前記テキスト作成手段は、前記階層情報片が示す階層に関連する情報を記述する階層関連テキストを更に作成し、
前記配置手段は、前記記録情報関連テキスト及び前記階層関連テキストを混在させて連続的に配置することを特徴とする請求項１８に記載の情報処理装置。
【請求項２０】
前記第３の情報片作成手段は、前記階層関連テキストの位置を示す階層関連テキスト配置情報片を更に作成し、
前記配置手段は、前記階層関連テキスト配置情報片を前記階層情報片と対にして配置することを特徴とする請求項１８又は１９に記載の情報処理装置。
【請求項２１】
前記複数の階層のうち、予め決められた特定の階層を示す前記階層情報片のアドレスを示す複数の特定階層情報片を作成する第４の情報片作成手段を更に備えることを特徴とする請求項１８乃至２０のいずれか一に記載の情報処理装置。
【請求項２２】
前記複数の階層のうち、最上位の階層を示す前記階層情報片のアドレスを示す最上位階層情報片を作成する第５の情報片作成手段を更に備えることを特徴とする請求項１８乃至２１のいずれか一に記載の情報処理装置。
【請求項２３】
前記種類情報片のうち特定の当該種類情報片について、前記記録情報関連テキストと、当該記録情報関連テキストに対応する前記記録情報片の階層構造における論理的位置との関係を示した対照情報片を作成する第６の情報片作成手段を更に備えることを特徴とする請求項１８乃至２２のいずれか一に記載の情報処理装置。
【請求項２４】
前記階層情報片は、前記複数の階層のうち、使用者が任意に指定することができる前記記録情報片の単位を含む階層のみを示すことを特徴とする請求項１８乃至２３のいずれか一に記載の情報処理装置。
【請求項２５】
前記配置手段は、前記特定の階層よりも下位の階層において、自己の一階層上位の階層から分岐しており且つ自己と同一階層に他の記録情報片が存在し、且つ、自己又は前記他の記録情報片若しくは自己又は前記他の記録情報片より下位に存在するいずれかの階層にテキストを有する記録情報片については、対応する階層情報片を配置することを特徴とする請求項２１に記載の情報処理装置。
【請求項２６】
前記記録情報関連テキストは、当該記録情報関連テキストが記述する関連情報の細分類を示す分類記号部分と前記関連情報を示す文字部分とを含むことを特徴とする請求項１８乃至２５のいずれか一に記載の情報処理装置。
【請求項２７】
階層構造を構成する複数の記録情報片を作成する第１の情報片作成工程と、
前記階層構造を構成する複数の階層のうちの一の階層を示す階層情報片、及び、前記記録情報片に関連する情報の種類を示す種類情報片を作成する第２の情報片作成工程と、
前記種類情報片が示す情報の種類に関連する情報を記述する記録情報関連テキストを作成するテキスト作成工程と、
前記記録情報関連テキストの位置を示すテキスト配置情報片を作成する第３の情報片作成工程と、
前記階層情報片、前記種類情報片、前記テキスト配置情報片及び記録情報関連テキストを前記階層構造に従って配置すると共に、前記テキスト配置情報片を前記種類情報片と対にして配置する配置工程と、
前記配置された複数の記録情報片、階層情報片、種類情報片、テキスト配置情報片及び記録情報関連テキストを情報記録媒体に記録する記録工程と、
を備えたことを特徴とする情報記録方法。
【請求項２８】
前記テキスト作成工程においては、前記階層情報片が示す階層に関連する情報を記述する階層関連テキストを更に作成し、
前記配置工程においては、前記記録情報関連テキスト及び前記階層関連テキストを混在させて連続的に配置することを特徴とする請求項２７に記載の情報記録方法。
【請求項２９】
前記第３の情報片作成工程においては、前記階層関連テキストの位置を示す階層関連テキスト配置情報片を更に作成し、
前記配置工程においては、前記階層関連テキスト配置情報片を前記階層情報片と対にして配置することを特徴とする請求項２８に記載の情報記録方法。
【請求項３０】
前記複数の階層のうち、予め決められた特定の階層を示す前記階層情報片の前記情報記録媒体上の記録位置を示す複数の特定階層情報片を作成する第４の情報片作成工程を更に含むことを特徴とする請求項２７乃至２９のいずれか一に記載の情報記録方法。
【請求項３１】
前記複数の階層のうち、最上位の階層を示す前記階層情報片の前記情報記録媒体上の記録位置を示す最上位階層情報片を作成する第５の情報片作成工程を更に含むことを特徴とする請求項２７乃至３０のいずれか一に記載の情報記録方法。
【請求項３２】
前記種類情報片のうち特定の当該種類情報片について、前記記録情報関連テキストと、当該記録情報関連テキストに対応する前記記録情報片の階層構造における論理的位置との関係を示した対照情報片を作成する第６の情報片作成工程を更に含むことを特徴とする請求項２７乃至３１のいずれか一に記載の情報記録方法。
【請求項３３】
前記階層情報片は、前記複数の階層のうち、使用者が任意に指定することができる前記記録情報片の単位を含む階層のみを示すことを特徴とする請求項２７乃至３２のいずれか一に記載の情報記録方法。
【請求項３４】
前記配置工程においては、前記特定の階層よりも下位の階層において、自己の一階層上位の階層から分岐しており且つ自己と同一階層に他の記録情報片が存在し、且つ、自己又は前記他の記録情報片若しくは自己又は前記他の記録情報片より下位に存在するいずれかの階層にテキストを有する記録情報片については、対応する階層情報片を配置することを特徴とする請求項３０に記載の情報記録方法。
【請求項３５】
前記記録情報関連テキストは、当該記録情報関連テキストが記述する関連情報の細分類を示す分類記号部分と前記関連情報を示す文字部分とを含むことを特徴とする請求項２７乃至３４のいずれか一に記載の情報記録方法。
【請求項３６】
前記情報記録媒体は、マスタディスクであり、
前記マスタディスクを用いてレプリカディスクを製造する工程を更に含むことを特徴とする請求項２７乃至３５のいずれか一に記載の情報記録方法。
【請求項３７】
請求項３６に記載の情報記録方法を用いて製造されたレプリカディスク。
【請求項３８】
階層構造を構成する複数の記録情報片と、
前記階層構造を構成する複数の階層のうちの一の階層を示す階層情報片、及び前記記録情報片に関連する情報の種類を示す種類情報片と、
前記種類情報片が示す情報の種類に関連する情報を記述する記録情報関連テキストと、
前記記録情報関連テキストの位置を示すテキスト配置情報片と、が記録された情報記録媒体から情報を再生する情報再生方法であって、
前記情報記録媒体に記録されている情報に対応する検出信号を生成する生成工程と、
前記検出信号を復調し、復調信号を生成する復調工程と、
前記復調信号から前記記録情報関連テキストを検出する検出工程と、
前記検出された記録情報関連テキストに対応する表示信号を生成する表示信号生成工程と、
を含むことを特徴とする情報再生方法。
【請求項３９】
前記情報記録媒体には、前記階層情報片が示す階層に関連する情報を記述する階層関連テキストが、前記記録情報関連テキストと混在しつつ連続的に記録されていることを特徴とする請求項３８に記載の情報再生方法。
【請求項４０】
検索の対象となる記録情報片に対応する関連情報の種類、及び当該検索の対象となる前記記録情報片に関連する検索対象テキストを指定する指定工程と、
指定された関連情報の種類に対応する前記種類情報片を検索する検索工程と、
前記検索工程により発見された前記種類情報片と組になっている前記テキスト配置情報片を用いて、前記発見された種類情報片を有する前記記録情報関連テキストのうちから、前記検索対象テキストを含む当該記録情報関連テキストを選択する選択工程と、を更に備え、
前記表示信号生成工程においては、前記選択工程において選択された前記記録情報関連テキストに対応する前記表示信号を生成することを特徴とする請求項３８又は３９に記載の情報再生方法。
【請求項４１】
対応する前記階層情報片及び関連する他の前記階層情報片を参照して、前記選択された記録情報関連テキストに対応する前記記録情報片の前記階層構造における論理的位置及び当該記録情報片に関する情報を取得する取得工程と、
前記取得工程において取得された前記論理的位置に基づいて、前記選択された記録情報関連テキストに対応する前記記録情報片の中から指定された前記記録情報片を再生する再生工程と、
を更に含むことを特徴とする請求項４０に記載の情報再生方法。
【請求項４２】
前記情報記録媒体には、前記種類情報片のうち特定の当該種類情報片について、前記記録情報関連テキストと当該記録情報関連テキストに対応する前記記録情報片の階層構造における論理的位置との関係を示した対照情報片が更に記録されており、
検索の対象となる前記記録情報片、及び前記検索の対象となる前記記録情報片に対応する前記関連情報の種類を指定する指定工程と、
前記対照情報片を参照し、前記指定された関連情報の種類に対応する前記種類情報片を有する前記記録情報関連テキストと当該記録情報関連テキストに対応する前記記録情報片の前記階層構造における論理的位置とを検索する検索工程と、
検索された前記論理的位置に基づいて、前記指定工程により指定された前記記録情報片を再生する再生工程と、
を更に含むことを特徴とする請求項３８又は３９に記載の情報再生方法。
【請求項４３】
前記記録情報関連テキストは、当該記録情報関連テキストが記述する前記関連情報の細分類を示す分類記号部分と前記関連情報を示す文字部分とを含み、
検索の対象となる前記記録情報片、及び前記検索の対象となる前記記録情報片に関連する情報の細分類を指定する指定工程と、
前記指定された細分類に対応する分類記号を含む前記記録情報関連テキストを検索する検索工程と、
対応する前記階層情報片及び関連する他の前記階層情報片を参照して、検索された前記記録情報関連テキストに対応する前記記録情報片の前記階層構造における論理的位置及び当該記録情報片に関する情報を取得する取得工程と、
前記取得工程により取得された前記論理的位置に基づいて、前記指定工程により指定された前記記録情報片を再生する再生工程と、
を更に含むことを特徴とする請求項３８又は３９に記載の情報再生方法。
【請求項４４】
階層構造を構成する複数の記録情報片を作成する第１の情報片作成工程と、
前記階層構造を構成する複数の階層のうちの一の階層を示す階層情報片、及び、前記記録情報片に関連する情報の種類を示す種類情報片を作成する第２の情報片作成工程と、
前記種類情報片が示す情報の種類に関連する情報を記述する記録情報関連テキストを作成するテキスト作成工程と、
前記記録情報関連テキストの位置を示すテキスト配置情報片を作成する第３の情報片作成工程と、
前記階層情報片、前記種類情報片、前記テキスト配置情報片及び記録情報関連テキストを前記階層構造に従って配置すると共に、前記テキスト配置情報片を前記種類情報片と対にして配置する配置工程と、
を含むことを特徴とする情報処理方法。
【請求項４５】
前記テキスト作成工程においては、前記階層情報片が示す階層に関連する情報を記述する階層関連テキストを更に作成し、
前記配置工程においては、前記記録情報関連テキスト及び前記階層関連テキストを混在させて連続的に配置することを特徴とする請求項４４に記載の情報処理方法。
【請求項４６】
前記第３の情報片作成工程においては、前記階層関連テキストの位置を示す階層関連テキスト配置情報片を更に作成し、
前記配置工程においては、前記階層関連テキスト配置情報片を前記階層情報片と対にして配置することを特徴とする請求項４４又は４５に記載の情報処理方法。
【請求項４７】
前記複数の階層のうち、予め決められた特定の階層を示す前記階層情報片のアドレスを示す複数の特定階層情報片を作成する第４の情報片作成工程を更に含むことを特徴とする請求項４４乃至４６のいずれか一に記載の情報処理方法。
【請求項４８】
前記複数の階層のうち、最上位の階層を示す前記階層情報片のアドレスを示す最上位階層情報片を作成する第５の情報片作成工程を更に含むことを特徴とする請求項４４乃至４７のいずれか一に記載の情報処理方法。
【請求項４９】
前記種類情報片のうち特定の当該種類情報片について、前記記録情報関連テキストと、当該記録情報関連テキストに対応する前記記録情報片の階層構造における論理的位置との関係を示した対照情報片を作成する第６の情報片作成工程を更に含むことを特徴とする請求項４４乃至４８のいずれか一に記載の情報処理方法。
【請求項５０】
前記階層情報片は、前記複数の階層のうち、使用者が任意に指定することができる前記記録情報片の単位を含む階層のみを示すことを特徴とする請求項４４乃至４９のいずれか一に記載の情報処理方法。
【請求項５１】
前記配置工程においては、前記特定の階層よりも下位の階層において、自己の一階層上位の階層から分岐しており且つ自己と同一階層に他の記録情報片が存在し、且つ、自己又は前記他の記録情報片若しくは自己又は前記他の記録情報片より下位に存在するいずれかの階層にテキストを有する記録情報片については、対応する階層情報片を配置することを特徴とする請求項４７に記載の情報処理方法。
【請求項５２】
前記記録情報関連テキストは、当該記録情報関連テキストが記述する関連情報の細分類を示す分類記号部分と前記関連情報を示す文字部分とを含むことを特徴とする請求項４４乃至５１のいずれか一に記載の情報処理方法。
【請求項５３】
最内周部に設けられたリードインエリアと、
最外周部に設けられたリードアウトエリアと、を備え、
前記リードインエリアとリードアウトエリアの間に、
階層構造を構成する複数の記録情報片と、
前記階層構造を構成する複数の階層のうちの一の階層を示す階層情報片、及び、前記記録情報片に関連する情報の種類を示す種類情報片と、
前記種類情報片が示す情報の種類に関連する情報を記述する記録情報関連テキストと、
前記記録情報関連テキストの位置を示すテキスト配置情報片と、
が記録されていることを特徴とする情報記録媒体。
【請求項５４】
前記階層情報片が示す階層に関連する情報を記述する階層関連テキストが更に記録されており、
前記階層関連テキストが、前記記録情報関連テキストと混在して連続的に配置されていることを特徴とする請求項５３に記載の情報記録媒体。
【請求項５５】
前記階層関連テキストの位置を示す階層関連テキスト配置情報片が更に記録されており、
前記階層関連テキスト配置情報片が前記階層情報片と対になって配置されていることを特徴とする請求項５４に記載の情報記録媒体。
【請求項５６】
前記複数の階層のうち、予め決められた特定の階層を示す前記階層情報片の当該情報記録媒体上の記録位置を示す複数の特定階層情報片が更に記録されていることを特徴とする請求項５３乃至５５のいずれか一に記載の情報記録媒体。
【請求項５７】
前記複数の階層のうち、最上位の階層を示す前記階層情報片の当該情報記録媒体上の記録位置を示す最上位階層情報片が更に記録されていることを特徴とする請求項５３乃至５６のいずれか一に記載の情報記録媒体。
【請求項５８】
前記種類情報片のうち特定の当該種類情報片について、前記記録情報関連テキストと、当該記録情報関連テキストに対応する前記記録情報片の前記階層構造における論理的位置との関係を示した対照情報片が更に記録されていることを特徴とする請求項５３乃至５７のいずれか一に記載の情報記録媒体。
【請求項５９】
前記階層情報片は、前記複数の階層のうち、使用者が任意に指定することができる前記記録情報片の単位を含む階層のみを示すことを特徴とする請求項５３乃至５８のいずれか一に記載の情報記録媒体。
【請求項６０】
前記特定の階層よりも下位の階層において、自己より一階層上位の階層から分岐しており且つ自己と同一階層に他の記録情報片が存在し、且つ、自己又は前記他の記録情報片若しくは自己又は前記他の記録情報片より下位に存在するいずれかの階層にテキストを有する前記記録情報片については、対応する前記階層情報片を配置することを特徴とする請求項５６に記載の情報記録媒体。
【請求項６１】
前記記録情報関連テキストは、当該記録情報関連テキストが記述する関連情報の細分類を示す分類記号部分と前記関連情報を示す文字部分とを含むことを特徴とする請求項５３乃至６０に記載の情報記録媒体。
【請求項６２】
最内周部に設けられたリードインエリアと、
最外周部に設けられたリードアウトエリアと、
前記リードインエリアとリードアウトエリアの間に、
階層構造を構成する複数の情報単位（ボリューム、タイトル、パートオブタイトル、セル）に区分された映像情報及び音声情報と、当該映像情報及び音声情報に係わる情報であるビデオマネージャ（ＶＭＧ）が記録されたエリアを備えた情報記録媒体であって、
前記ビデオマネージャが、
前記階層構造を構成する複数の階層のうちの一の階層を示す階層記述コードと、
前記情報単位に関連する情報の種類を示すアプリケーション記述コードと、
前記アプリケーション記述コードが示す情報の種類に関連する情報を記述するアイテムテキストと、
前記アイテムテキストの位置を示すアイテムテキストポインタと、を含むことを特徴とする情報記録媒体。
【手続補正３】
【補正対象書類名】明細書
【補正対象項目名】０００１
【補正方法】変更
【補正の内容】
【０００１】
【発明の属する技術分野】
本発明は、ＤＶＤに代表される画像、音声等の情報を高密度に記録可能な高密度光ディスク等の情報記録媒体、当該情報記録媒体に情報を記録するための情報記録装置及び方法、当該情報記録媒体に記録するための情報を生成するための情報処理装置及び方法並びに当該情報記録媒体から情報を再生するための情報再生装置及び方法の技術分野に属する。


【手続補正４】
【補正対象書類名】明細書
【補正対象項目名】０００８
【補正方法】変更
【補正の内容】
【０００８】
そこで、本発明は、階層構造を有する情報が記録された情報記録媒体に対して、個々の階層に対応してテキスト情報を記述することができ、また、そのテキスト情報を迅速に検索することができる情報記録媒体を提供することを課題とする。また、本発明はさらに、上記のように構成された情報記録媒体を作成する処理装置及び措置記録装置、及び、その情報記録媒体から検索により情報を再生する情報再生装置を提供することを課題とする。


【手続補正５】
【補正対象書類名】明細書
【補正対象項目名】０００９
【補正方法】変更
【補正の内容】
【０００９】
【課題を解決するための手段】
上記の課題を解決するために、請求項１に記載の発明は、階層構造を構成する複数の記録情報片を作成する第１の情報片作成手段と、前記階層構造を構成する複数の階層のうちの一の階層を示す階層情報片、及び、前記記録情報片に関連する情報の種類を示す種類情報片を作成する第２の情報片作成手段と、前記種類情報片が示す情報の種類に関連する情報を記述する記録情報関連テキストを作成するテキスト作成手段と、前記記録情報関連テキストの位置を示すテキスト配置情報片を作成する第３の情報片作成手段と、前記階層情報片、前記種類情報片、前記テキスト配置情報片及び記録情報関連テキストを前記階層構造に従って配置すると共に、前記テキスト配置情報片を前記種類情報片と対にして配置する配置手段と、前記配置された複数の記録情報片、階層情報片、種類情報片、テキスト配置情報片及び記録情報関連テキストを情報記録媒体に記録する記録手段と、を備える。
【手続補正６】
【補正対象書類名】明細書
【補正対象項目名】００１０
【補正方法】変更
【補正の内容】
【００１０】
請求項１に記載の発明によれば、第１の情報片作成手段は複数の記録情報片を作成する。
一方、第２の情報片作成手段は階層情報片及び種類情報片を作成する。
更に、テキスト作成手段は記録情報関連テキストを作成する。
また、第３の情報片作成手段はテキスト配置情報片を作成する。
更に、配置手段は、階層情報片、種類情報片、テキスト配置情報片及び記録情報関連テキストを階層構造に従って配置すると共に、テキスト配置情報片を種類情報片と対にして配置する。
これらにより、記録手段は、配置された複数の記録情報片、階層情報片、種類情報片、テキスト配置情報片及び記録情報関連テキストを情報記録媒体に記録する。
よって、複数の階層に関する記録情報関連テキストが、記録情報片、階層情報片、種類情報片及びテキスト配置情報片と共に記録されるので、当該記録情報関連テキストが関連する階層又は記録情報の種類と関連づけてこれを記録することができ、当該記録情報関連テキストの有効な利用が可能となる。
【手続補正７】
【補正対象書類名】明細書
【補正対象項目名】００１１
【補正方法】変更
【補正の内容】
【００１１】
上記の課題を解決するために、請求項１２に記載の発明は、階層構造を構成する複数の記録情報片と、前記階層構造を構成する複数の階層のうちの一の階層を示す階層情報片、及び前記記録情報片に関連する情報の種類を示す種類情報片と、前記種類情報片が示す情報の種類に関連する情報を記述する記録情報関連テキストと、前記記録情報関連テキストの位置を示すテキスト配置情報片と、が記録された情報記録媒体から情報を再生する情報再生装置であって、前記情報記録媒体に記録されている情報に対応する検出信号を生成する生成手段と、前記検出信号を復調し、復調信号を生成する復調手段と、前記復調信号から前記記録情報関連テキストを検出する検出手段と、前記検出された記録情報関連テキストに対応する表示信号を生成する表示信号生成手段と、を備える。
【手続補正８】
【補正対象書類名】明細書
【補正対象項目名】００１２
【補正方法】変更
【補正の内容】
【００１２】
請求項１２に記載の発明によれば、生成手段は、情報記録媒体に記録されている情報に対応する検出信号を生成する。
そして、復調手段は、検出信号を復調し、復調信号を生成する。
次に、検出手段は、復調信号から記録情報関連テキストを検出する。
その後、表示信号生成手段は、検出された記録情報関連テキストに対応する表示信号を生成する。
よって、情報記録媒体に記録されている記録情報関連テキストを検出して対応する表示信号を生成するので、記録情報関連テキストを利用しての記録情報の検索が可能となる。
【手続補正９】
【補正対象書類名】明細書
【補正対象項目名】００１３
【補正方法】変更
【補正の内容】
【００１３】
上記の課題を解決するために、請求項１８に記載の発明は、階層構造を構成する複数の記録情報片を作成する第１の情報片作成手段と、前記階層構造を構成する複数の階層のうちの一の階層を示す階層情報片、及び、前記記録情報片に関連する情報の種類を示す種類情報片を作成する第２の情報片作成手段と、前記種類情報片が示す情報の種類に関連する情報を記述する記録情報関連テキストを作成するテキスト作成手段と、前記記録情報関連テキストの位置を示すテキスト配置情報片を作成する第３の情報片作成手段と、前記階層情報片、前記種類情報片、前記テキスト配置情報片及び記録情報関連テキストを前記階層構造に従って配置すると共に、前記テキスト配置情報片を前記種類情報片と対にして配置する配置手段と、を備える。
【手続補正１０】
【補正対象書類名】明細書
【補正対象項目名】００１４
【補正方法】変更
【補正の内容】
【００１４】
請求項１８に記載の発明によれば、第１の情報片作成手段は複数の記録情報片を作成する。
一方、第２の情報片作成手段は階層情報片及び種類情報片を作成する。
更に、テキスト作成手段は記録情報関連テキストを作成する。
また、第３の情報片作成手段はテキスト配置情報片を作成する。
更に、配置手段は、階層情報片、種類情報片、テキスト配置情報片及び記録情報関連テキストを階層構造に従って配置すると共に、テキスト配置情報片を種類情報片と対にして配置する。
よって、配置された複数の記録情報片、階層情報片、種類情報片、テキスト配置情報片及び記録情報関連テキストを情報記録媒体に記録することにより、複数の階層に関する記録情報関連テキストが、記録情報片、階層情報片、種類情報片及びテキスト配置情報片と共に記録されることとなるので、当該記録情報関連テキストが関連する階層又は記録情報の種類と関連づけてこれを記録することができ、当該記録情報関連テキストの有効な利用が可能となる。
【手続補正１１】
【補正対象書類名】明細書
【補正対象項目名】００１５
【補正方法】変更
【補正の内容】
【００１５】
上記の課題を解決するために、請求項２７に記載の発明は、階層構造を構成する複数の記録情報片を作成する第１の情報片作成工程と、前記階層構造を構成する複数の階層のうちの一の階層を示す階層情報片、及び、前記記録情報片に関連する情報の種類を示す種類情報片を作成する第２の情報片作成工程と、前記種類情報片が示す情報の種類に関連する情報を記述する記録情報関連テキストを作成するテキスト作成工程と、前記記録情報関連テキストの位置を示すテキスト配置情報片を作成する第３の情報片作成工程と、前記階層情報片、前記種類情報片、前記テキスト配置情報片及び記録情報関連テキストを前記階層構造に従って配置すると共に、前記テキスト配置情報片を前記種類情報片と対にして配置する配置工程と、前記配置された複数の記録情報片、階層情報片、種類情報片、テキスト配置情報片及び記録情報関連テキストを情報記録媒体に記録する記録工程と、を備える。
【手続補正１２】
【補正対象書類名】明細書
【補正対象項目名】００１６
【補正方法】変更
【補正の内容】
【００１６】
請求項２７に記載の発明によれば、第１の情報片作成工程においては複数の記録情報片を作成する。
一方、第２の情報片作成工程においては階層情報片及び種類情報片を作成する。
更に、テキスト作成工程においては記録情報関連テキストを作成する。
また、第３の情報片作成工程においてはテキスト配置情報片を作成する。
更に、配置工程においては、階層情報片、種類情報片、テキスト配置情報片及び記録情報関連テキストを階層構造に従って配置すると共に、テキスト配置情報片を種類情報片と対にして配置する。
これらにより、記録工程においては、配置された複数の記録情報片、階層情報片、種類情報片、テキスト配置情報片及び記録情報関連テキストを情報記録媒体に記録する。
【手続補正１３】
【補正対象書類名】明細書
【補正対象項目名】００１７
【補正方法】変更
【補正の内容】
【００１７】
よって、複数の階層に関する記録情報関連テキストが、記録情報片、階層情報片、種類情報片及びテキスト配置情報片と共に記録されるので、当該記録情報関連テキストが関連する階層又は記録情報の種類と関連づけてこれを記録することができ、当該記録情報関連テキストの有効な利用が可能となる。
【手続補正１４】
【補正対象書類名】明細書
【補正対象項目名】００１８
【補正方法】変更
【補正の内容】
【００１８】
上記の課題を解決するために、請求項３８に記載の発明は、階層構造を構成する複数の記録情報片と、前記階層構造を構成する複数の階層のうちの一の階層を示す階層情報片、及び前記記録情報片に関連する情報の種類を示す種類情報片と、前記種類情報片が示す情報の種類に関連する情報を記述する記録情報関連テキストと、前記記録情報関連テキストの位置を示すテキスト配置情報片と、が記録された情報記録媒体から情報を再生する情報再生方法であって、前記情報記録媒体に記録されている情報に対応する検出信号を生成する生成工程と、前記検出信号を復調し、復調信号を生成する復調工程と、前記復調信号から前記記録情報関連テキストを検出する検出工程と、前記検出された記録情報関連テキストに対応する表示信号を生成する表示信号生成工程と、を備える。
【手続補正１５】
【補正対象書類名】明細書
【補正対象項目名】００１９
【補正方法】変更
【補正の内容】
【００１９】
請求項３８に記載の発明によれば、生成工程においては、情報記録媒体に記録されている情報に対応する検出信号を生成する。
そして、復調工程においては、検出信号を復調し、復調信号を生成する。
次に、検出工程においては、復調信号から記録情報関連テキストを検出する。
その後、表示信号生成工程においては、検出された記録情報関連テキストに対応する表示信号を生成する。
【手続補正１６】
【補正対象書類名】明細書
【補正対象項目名】００２０
【補正方法】変更
【補正の内容】
【００２０】
よって、情報記録媒体に記録されている記録情報関連テキストを検出して対応する表示信号を生成するので、記録情報関連テキストを利用しての記録情報の検索が可能となる。
【手続補正１７】
【補正対象書類名】明細書
【補正対象項目名】００２１
【補正方法】変更
【補正の内容】
【００２１】
上記の課題を解決するために、請求項４４に記載の発明は、階層構造を構成する複数の記録情報片を作成する第１の情報片作成工程と、前記階層構造を構成する複数の階層のうちの一の階層を示す階層情報片、及び、前記記録情報片に関連する情報の種類を示す種類情報片を作成する第２の情報片作成工程と、前記種類情報片が示す情報の種類に関連する情報を記述する記録情報関連テキストを作成するテキスト作成工程と、前記記録情報関連テキストの位置を示すテキスト配置情報片を作成する第３の情報片作成工程と、前記階層情報片、前記種類情報片、前記テキスト配置情報片及び記録情報関連テキストを前記階層構造に従って配置すると共に、前記テキスト配置情報片を前記種類情報片と対にして配置する配置工程と、を備える。
【手続補正１８】
【補正対象書類名】明細書
【補正対象項目名】００２２
【補正方法】変更
【補正の内容】
【００２２】
請求項４４に記載の発明によれば、第１の情報片作成工程においては複数の記録情報片を作成する。
一方、第２の情報片作成工程においては階層情報片及び種類情報片を作成する。
更に、テキスト作成工程においては記録情報関連テキストを作成する。
また、第３の情報片作成工程においてはテキスト配置情報片を作成する。
更に、配置工程においては、階層情報片、種類情報片、テキスト配置情報片及び記録情報関連テキストを階層構造に従って配置すると共に、テキスト配置情報片を種類情報片と対にして配置する。
よって、配置された複数の記録情報片、階層情報片、種類情報片、テキスト配置情報片及び記録情報関連テキストを情報記録媒体に記録することにより、複数の階層に関する記録情報関連テキストが、記録情報片、階層情報片、種類情報片及びテキスト配置情報片と共に記録されることとなるので、当該記録情報関連テキストが関連する階層又は記録情報の種類と関連づけてこれを記録することができ、当該記録情報関連テキストの有効な利用が可能となる。
【手続補正１９】
【補正対象書類名】明細書
【補正対象項目名】００２３
【補正方法】変更
【補正の内容】
【００２３】
上記の課題を解決するために、請求項５３に記載の発明は、最内周部に設けられたリードインエリアと、最外周部に設けられたリードアウトエリアと、を備え、前記リードインエリアとリードアウトエリアの間に、階層構造を構成する複数の記録情報片と、前記階層構造を構成する複数の階層のうちの一の階層を示す階層情報片、及び、前記記録情報片に関連する情報の種類を示す種類情報片と、前記種類情報片が示す情報の種類に関連する情報を記述する記録情報関連テキストと、前記記録情報関連テキストの位置を示すテキスト配置情報片と、が記録されている。
【手続補正２０】
【補正対象書類名】明細書
【補正対象項目名】００２４
【補正方法】変更
【補正の内容】
【００２４】
よって、複数の階層に関する記録情報関連テキストが、記録情報片、階層情報片、種類情報片及びテキスト配置情報片と共に記録されているので、当該記録情報関連テキストが関連する階層又は記録情報の種類と関連づけてこれを記録することができ、当該記録情報関連テキストの有効な利用が可能となる。
【手続補正２１】
【補正対象書類名】明細書
【補正対象項目名】００２５
【補正方法】変更
【補正の内容】
【００２５】
上記の課題を解決するために、請求項６２に記載の発明は、最内周部に設けられたリードインエリアと、最外周部に設けられたリードアウトエリアと、前記リードインエリアとリードアウトエリアの間に、階層構造を構成する複数の情報単位（ボリューム、タイトル、パートオブタイトル、セル）に区分された映像情報及び音声情報と、当該映像情報及び音声情報に係わる情報であるビデオマネージャ（ＶＭＧ）が記録されたエリアを備えた情報記録媒体であって、前記ビデオマネージャが、前記階層構造を構成する複数の階層のうちの一の階層を示す階層記述コードと、前記情報単位に関連する情報の種類を示すアプリケーション記述コードと、前記アプリケーション記述コードが示す情報の種類に関連する情報を記述するアイテムテキストと、前記アイテムテキストの位置を示すアイテムテキストポインタと、を含むように構成されている。
【手続補正２２】
【補正対象書類名】明細書
【補正対象項目名】００２６
【補正方法】変更
【補正の内容】
【００２６】
請求項６２に記載の発明によれば、ビデオマネージャが、階層構造を構成する複数の階層のうちの一の階層を示す階層記述コードと、情報単位に関連する情報の種類を示すアプリケーション記述コードと、アプリケーション記述コードが示す情報の種類に関連する情報を記述するアイテムテキストと、アイテムテキストの位置を示すアイテムテキストポインタと、を含むように構成されている。
【手続補正２３】
【補正対象書類名】明細書
【補正対象項目名】００２７
【補正方法】変更
【補正の内容】
【００２７】
よって、複数の階層に関するアイテムテキストが、情報単位に区分された映像情報及び音声情報、階層記述コード、アプリケーション記述コード及びアイテムテキストポインタと共に記録されているので、当該アイテムテキストが関連する階層又は記録情報の種類と関連づけてこれを記録することができ、当該アイテムテキストの有効な利用が可能となる。
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】変更
【補正の内容】
【００３０】
［１］情報記録媒体の実施の形態
始めに、本発明が適用された情報記録媒体の実施の一形態であるＤＶＤの物理的及び論理的な構成並びにその動作について、図１乃至図４を用いて説明する。


【手続補正２６】
【補正対象書類名】明細書
【補正対象項目名】０１２３
【補正方法】削除
【補正の内容】
【手続補正２７】
【補正対象書類名】明細書
【補正対象項目名】０１２４
【補正方法】削除
【補正の内容】
【手続補正２８】
【補正対象書類名】明細書
【補正対象項目名】０１２５
【補正方法】削除
【補正の内容】
【手続補正２９】
【補正対象書類名】明細書
【補正対象項目名】０１２６
【補正方法】削除
【補正の内容】
【手続補正３０】
【補正対象書類名】明細書
【補正対象項目名】０１２７
【補正方法】削除
【補正の内容】
【手続補正３１】
【補正対象書類名】明細書
【補正対象項目名】０１２８
【補正方法】削除
【補正の内容】
【手続補正３２】
【補正対象書類名】明細書
【補正対象項目名】０１２９
【補正方法】削除
【補正の内容】